(57)【特許請求の範囲】
【請求項１】
スピーカと、
楽器本体のケースに設けられ、前記スピーカの放音面に対向するように順次、配置された第１および第２のグリルと、を備え、
当該第１および第２のグリルは、前記スピーカの前記放音面と平行に延び且つ互いに間隔を隔てた複数の羽根板をそれぞれ有し、
当該第１グリルの前記複数の羽根板および前記第２グリルの前記複数の羽根板は、互いに異なる方向に延びるとともに、それぞれの長さ方向に延びる軸線を中心として互いに独立して回動可能に構成されていることを特徴とする電子楽器のスピーカ装置。
【請求項２】
前記スピーカは、その放音面が前方を向くように配置され、
前記第１および第２のグリルは、前記スピーカの放音面の前方に順次、配置され、
前記第１グリルは、その複数の羽根板が鉛直方向に延び且つ鉛直方向の軸線を中心として回動可能な左右可変グリルで構成され、
前記第２グリルは、その複数の羽根板が水平方向に延び且つ水平方向の軸線を中心として回動可能な上下可変グリルで構成されていることを特徴とする、請求項１に記載の電子楽器のスピーカ装置。
【発明の詳細な説明】
【０００１】
【発明の属する技術分野】
本発明は、電子オルガン、電子ピアノやキーボードなどの電子楽器のスピーカ装置に関する。
【０００２】
【従来の技術】
従来、この種のスピーカ装置は、楽器本体に内蔵され、放音面を前方に向けたスピーカと、このスピーカの放音面を覆うように設けられたグリルなどを有している。このグリルは、互いに間隔を隔てた平行な複数の羽根板で構成されていて、例えば電子オルガンの場合、鍵盤の後方のコントロールパネルに所定の角度で固定・設置されている。そして、スピーカで発生した演奏音を、グリルを介し、その羽根板の設置角度に応じた角度で外部に放射することによって、例えば、演奏者の耳を中心とした音場が得られるようになっている。
【０００３】
【発明が解決しようとする課題】
しかし、上記のような従来のスピーカ装置では、スピーカで発生した演奏音が、グリルを介して、常に一定の角度で放射されるため、必ずしも演奏者に対して最適な音場を提供できないという欠点がある。例えば、演奏者が大人の場合と小さな子供の場合では、その体格の相違から、演奏者の耳の高さはかなり異なる。このため、グリルの角度が、大人の演奏者用に設計されていると、子供が演奏したときに、音場が耳よりもかなり高い位置を中心として形成され、演奏音が演奏者に良く伝わらなくなってしまう。また、キーボードなどでは、椅子に座って演奏する場合と、立って演奏する場合があるため、両方の場合で、最適な音場を得ることは不可能である。
【０００４】
本発明は、このような課題を解決するためになされたものであり、演奏者の体格や演奏姿勢などを問わず、最適な音場を得ることができる電子楽器のスピーカ装置を提供することを目的としている。
【０００５】
【課題を解決するための手段】
この目的を達成するため、本発明の電子楽器のスピーカ装置は、スピーカと、楽器本体のケースに設けられ、スピーカの放音面に対向するように順次、配置された第１および第２のグリルと、を備え、第１および第２のグリルは、スピーカの放音面と平行に延び且つ互いに間隔を隔てた複数の羽根板をそれぞれ有し、第１グリルの複数の羽根板および第２グリルの複数の羽根板は、互いに異なる方向に延びるとともに、それぞれの長さ方向に延びる軸線を中心として互いに独立して回動可能に構成されていることを特徴としている。
【０００６】
このスピーカ装置によれば、スピーカで発生した演奏音は、その放音面から放出され、これに対向する第１および第２のグリルの複数の羽根板間の間隙を通って、外部に放射される。この場合、本発明では、第１および第２のグリルの羽根板が互いに独立して角度可変に構成されているので、第１および第２のグリルの羽根板の角度を、互いに独立して変化させることによって、演奏音の放射角度が変化する。したがって、例えば、演奏者の体格や演奏姿勢などに応じ、第１および第２のグリルの羽根板の角度を、演奏音が演奏者の耳を中心とした角度で放射されるように、それぞれ調整することによって、演奏者の体格などを問わず、最適な音場を得ることができる。
【０００９】
この場合、スピーカは、その放音面が前方を向くように配置され、第１および第２のグリルは、スピーカの放音面の前方に順次、配置され、第１グリルは、その複数の羽根板が鉛直方向に延び且つ鉛直方向の軸線を中心として回動可能な左右可変グリルで構成され、第２グリルは、その複数の羽根板が水平方向に延び且つ水平方向の軸線を中心として回動可能な上下可変グリルで構成されていることが好ましい。
【００１０】
この構成では、左右可変グリルの羽根板の角度を変えることで、演奏音の放射角度を左右方向に対してのみ調整でき、また、上下可変グリルの羽根板の角度を変えることで、演奏音の放射角度を上下方向に対してのみ調整できる。したがって、両グリルの角度と演奏音の放射角度との関係を演奏者が理解しやすいので、音場の調整をきめ細かく且つ容易に行うことができる。
【００１３】
【発明の実施の形態】
以下、本発明の好ましい実施形態を、図面を参照しながら、詳細に説明する。図１は、本発明のスピーカ装置を備えた電子オルガンの正面図である。同図に示すように、この電子オルガン１は、オルガン本体２（楽器本体）と、オルガン本体２を支持する左右一対の親板３、３と、両親板３、３に支持され、これらの間から前方に突出する棚板４と、各親板３の内側から前方に突出し、棚板４を挟持する左右一対の腕木５、５とを備えている。
【００１４】
棚板４上には、鍵盤部６が配置されており、この鍵盤部６には、前側から順に、下鍵盤７、上鍵盤８およびコントロールパネル９（ケース）が設けられている。コントロールパネル９には、各種のコントロールスイッチ１０が取り付けられているとともに、左右の端部に、本発明に係る一対のスピーカ装置１１、１１が設けられている。
【００１５】
図２〜図４に示すように、各スピーカ装置１１は、スピーカ１２と、その前方に設けられたグリル１３を備えている。スピーカ１２は、縦長長円状の正面形状を有しており、コントロールパネル９の後方に配置されたスピーカボックス１４に、放音面１２ａを前方に向けた状態で、ねじ止めされている。一方、コントロールパネル９のスピーカ１２に対向する部分には、開口１５が形成されていて、この開口１５内にグリル１３が設けられている。
【００１６】
グリル１３は、開口１５の後部寄りに取り付けられた左右可変グリル１６と、前部寄りに取り付けられた上下可変グリル１７とで構成されている。左右可変グリル１６は、左右方向に互いに間隔を隔てて上下方向に延びる４枚の羽根板１８を有している。これらの羽根板１８は、細長い長方形状のものであり、その後端に一体の回動軸部１８ａを有し、この回動軸部１８ａは、開口１５の上下壁に回動自在に取り付けられている。そして、羽根板１８は、図示しない操作部材を操作することにより、図４に示すように、それぞれの回動軸部１８ａを中心として、互いに平行に保ちながら、連動して回動するように構成されている。
【００１７】
上下可変グリル１７も、左右可変グリル１６と基本的に同様に構成され、上下方向に間隔を隔てて左右方向に延びる８枚の羽根板１９を有している。羽根板１９は、開口１５の左右壁に取り付けられた一体の回動軸部１９ａを有し、羽根板１９に直接、手を触れて、これを上下させることにより、図３に示すように、回動軸部１９ａを中心として、互いに平行な状態で、連動して回動するように構成されている。
【００１８】
なお、図１中の符号２０は下前板、２１は譜面台、２４は足鍵盤、２５はエクスプレッションペダルである。
【００１９】
以上の構成のスピーカ装置１１によれば、下鍵盤７や上鍵盤８などを押鍵することにより、それに応じた電子演奏音が、各スピーカ１２の放音面１２ａから放出される。放出された演奏音は、まず、スピーカ１２に対向する左右可変グリル１６の羽根板１８間の間隙を通り、その際に羽根板１８の角度に応じて左右方向に放射角度を制御され（図４の矢印ＡおよびＢ）、次いで、上下可変グリル１７の羽根板１９間の間隙を通り、その際に羽根板１９の角度に応じて上下方向に放射角度を制御された後（図３の矢印ＣおよびＤ）、外部に放射される。
【００２０】
前述したように、左右可変グリル１６の羽根板１８および上下可変グリル１７の羽根板１９は、互いに独立して回動可能で、角度を変えることができる。したがって、例えば、演奏者の体格や演奏姿勢などに応じ、両グリル１６、１７の羽根板１８、１９の角度を、演奏音が演奏者の耳を中心とした角度で放射されるようにそれぞれ調整することによって、演奏者の体格などを問わず、それらに最適な音場を得ることができる。あるいは、演奏音を演奏者自身が聴くよりも、むしろ他の人に聴かせたい場合に、その方向に演奏音が向けられるように両グリル１６、１７を調整することも、もちろん可能である。
【００２１】
また、本実施形態のスピーカ装置１１では、演奏音の放射角度を、左右可変グリル１６で左右方向にのみ調整し、上下可変グリル１７で上下方向にのみ調整するので、音場の調整をきめ細かく行えるとともに、両グリル１６、１７の角度と演奏音の放射角度との関係を演奏者が理解しやすいので、音場の調整を容易に行うことができる。
【００２２】
図５〜図７は、本発明をキーボードに適用した第２実施形態を示している。このキーボード３１は、本体ケース３２（ケース）の前部に鍵盤部３３を備えるとともに、後部に左右一対のスピーカ装置３４、３４や、図示しないコントロールスイッチなどを備えている。
【００２３】
各スピーカ装置３４は、スピーカ３５とグリル３６で構成されている。スピーカ３５は、その正面形状が円形のものであり、放音面３５ａが本体ケース３２の円形の開口３７に後方から臨んだ状態で、本体ケース３２の背面にねじ止めされている。グリル３６は、複数の羽根板３８と、羽根板３８の外周を取り囲むリング材３９とから、一体に構成されている。複数の羽根板３８は、互いに平行であるとともに、外方に向かって斜めに傾いた状態で、リング材３９に取り付けられている。
【００２４】
図６に示すように、リング材３９の外周面には係合凸部３９ａが形成される一方、開口３７の内周面には係合溝３７ａが連続的に形成されていて、この係合溝３７ａにグリル３６の係合凸部３９ａが回動自在に係合している。そして、グリル３６は、図示しない操作部材を操作することにより、係合溝３７ａに沿って回動されるようになっている。
【００２５】
したがって、本実施形態のスピーカ装置３４によれば、操作部材を操作して、グリル３６全体を本体ケース３２に対して回動させることにより、スピーカ３５の放音面３５ａに対する羽根板３８の角度を変えることができる。このような羽根板３８の角度変化に応じて、演奏音の放射角度が変化するので、本実施形態においても、演奏者の体格などに応じて、適切な音場を得ることができる。また、２つのグリル１６、１７の角度調整が必要な第１実施形態のスピーカ装置１１と比較して、本実施形態では、１つのグリル３６だけを回動操作すればよいので、より良い操作性が得られる。
【００２６】
なお、本発明は、上述した実施形態に限らず、種々の態様で実施することができる。例えば、第１実施形態では電子オルガンに、第２実施形態はキーボードに、本発明をそれぞれ適用しているが、本発明は、電子ピアノなどの他の電子鍵盤楽器はもとより、電子パーカッションなどの電子鍵盤楽器以外の電子楽器にも適用可能である。また、第１実施形態では、グリルが、上下方向および左右方向にそれぞれ延びる左右可変グリルおよび上下可変グリルで構成されているが、２つのグリルは、互いに異なる方向に延びていればよく、その方向は任意である。
【００２７】
さらに、グリルの角度を可変とする構成は、２つの実施形態に示した以外のものを採用することが可能である。その他、本発明の趣旨を逸脱しない範囲で、細部の構成を適宜、変更することが可能である。
【００２８】
【発明の効果】
以上詳述したように、本発明の電子楽器のスピーカ装置は、演奏者の体格や演奏姿勢などを問わず、最適な音場を得ることができるなどの効果を有している。
【図面の簡単な説明】
【図１】本発明の第１実施形態によるスピーカ装置を組み込んだ電子オルガンの正面図である。
【図２】図１のスピーカ装置の拡大正面図である。
【図３】図１の線ＩＩＩ−ＩＩＩに沿う断面図である。
【図４】図１の線ＩＶ−ＩＶに沿う断面図である。
【図５】本発明の第２実施形態によるスピーカ装置を組み込んだキーボードの平面図である。
【図６】図５のスピーカ装置の側断面図である。
【図７】図５のスピーカ装置の拡大正面図である。
【符号の説明】
１    電子オルガン
９  コントロールパネル
１１  スピーカ装置
１２  スピーカ
１２ａ  放音面
１３  グリル
１６  左右可変グリル
１７  上下可変グリル
１８  左右可変グリルの羽根板
１９  上下可変グリルの羽根板
３１  キーボード
３２  本体ケース
３４  スピーカ装置
３５  スピーカ
３５ａ    放音面
３６  グリル
３８    羽根板
【図１】
0003595118.tif 000002
【図２】
0003595118.tif 000003
【図３】
0003595118.tif 000004
【図４】
0003595118.tif 000005
【図５】
0003595118.tif 000006
【図６】
0003595118.tif 000007
【図７】
0003595118.tif 000008